【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1のビーム中で、1つまたは複数の第1のダウンリンクメッセージにより、第1のユーザ機器(UE)にスケジューリング情報を送信するステップと、
第2のビーム中で、1つまたは複数の第2のダウンリンクメッセージにより、第2のUEにスケジューリング情報を送信するステップと、
前記1つまたは複数の第1のダウンリンクメッセージの前記送信に応答して、タイムスロット中に前記第1のUEから1つまたは複数の第1のアップリンク制御メッセージを受信するステップと、
前記1つまたは複数の第2のダウンリンクメッセージの前記送信に応答して、前記タイムスロット中に前記第2のUEから1つまたは複数の第2のアップリンク制御メッセージを受信するステップであって、前記1つまたは複数の第2のアップリンク制御メッセージは、前記1つまたは複数の第1のアップリンク制御メッセージと周波数直交または拡散コード直交である、ステップと、
同じタイムスロット中での、周波数直交または拡散コード直交アップリンク制御メッセージの送信のために、UEのグループから前記第1のUEおよび前記第2のUEを選択するステップとを含む方法。
【請求項２】
前記第1のUEおよび前記第2のUEを選択するステップは、
前記第1のUEおよび前記第2のUEから受信された信号のそれぞれの到来角に少なくとも部分的に基づいて、前記第1のUEおよび前記第2のUEを選択するステップを含む、請求項1に記載の方法。
【請求項３】
前記第1のUEおよび前記第2のUEを選択するステップは、
前記第1のUEおよび前記第2のUEによって、アップリンク制御トラフィックを通信するのに使われるチャネルに関連付けられたそれぞれの信号対ノイズ比(SNR)に少なくとも部分的に基づいて、前記第1のUEおよび前記第2のUEを選択するステップを含む、請求項1に記載の方法。
【請求項４】
前記第1のUEおよび前記第2のUEを選択するステップは、
それぞれ、前記第1のUEおよび前記第2のUEに送信されるダウンリンクリソースブロックの数に少なくとも部分的に基づいて、前記第1のUEおよび前記第2のUEを選択するステップを含む、請求項1に記載の方法。
【請求項５】
前記スケジューリング情報は、前記第1のUEおよび前記第2のUEが前記1つまたは複数の第1のアップリンク制御メッセージおよび前記1つまたは複数の第2のアップリンク制御メッセージを送信するために使うべきである前記タイムスロットおよびトーンインデックスまたは拡散コードインデックスを示す、請求項1に記載の方法。
【請求項６】
前記1つまたは複数の第1のダウンリンクメッセージおよび前記1つまたは複数の第2のダウンリンクメッセージを同じ時間に送信するステップをさらに含む、請求項1に記載の方法。
【請求項７】
ワイヤレス通信の方法であって、
第1のビーム中で、基地局から、1つまたは複数のダウンリンクメッセージにより、第1のユーザ機器(UE)においてスケジューリング情報を受信するステップと、
前記1つまたは複数のダウンリンクメッセージの前記受信に応答して、タイムスロット中に1つまたは複数の第1のアップリンク制御メッセージを基地局に送信するステップであって、前記1つまたは複数の第1のアップリンク制御メッセージは、前記タイムスロット中に第2のUEから前記基地局に送信される1つまたは複数の第2のアップリンク制御メッセージと周波数直交または拡散コード直交である、ステップとを含み、
前記第1のUEおよび前記第2のUEは、同じタイムスロット中での、周波数直交または拡散コード直交メッセージの送信用に、UEのグループから選択される、方法。
【請求項８】
前記第1のUEおよび前記第2のUEは、前記第1のUEおよび前記第2のUEから受信された信号のそれぞれの到来角に少なくとも部分的に基づいて選択される、請求項7に記載の方法。
【請求項９】
前記第1のUEおよび前記第2のUEは、前記第1のUEおよび前記第2のUEによって、アップリンク制御トラフィックを通信するのに使われるチャネルに関連付けられたそれぞれの信号対ノイズ比(SNR)に少なくとも部分的に基づいて選択される、請求項7に記載の方法。
【請求項１０】
前記第1のUEおよび前記第2のUEは、それぞれ、前記第1のUEおよび前記第2のUEに送信されるダウンリンクリソースブロックの数に少なくとも部分的に基づいて選択される、請求項7に記載の方法。
【請求項１１】
前記第1のUEが、前記タイムスロット中に、およびトーンインデックスまたは拡散コードインデックスを使って、前記1つまたは複数の第1のアップリンク制御メッセージを送信するべきであることを示すスケジューリング情報を、前記第1のUEにおいて受信するステップをさらに含み、前記スケジューリング情報は、前記第2のUEが前記1つまたは複数の第2のアップリンク制御メッセージを前記タイムスロット中に送信するべきであるというインジケータを含む、請求項7に記載の方法。
【請求項１２】
前記1つまたは複数のダウンリンクメッセージはデータを含み、前記1つまたは複数の第1のアップリンク制御メッセージおよび前記1つまたは複数の第2のアップリンク制御メッセージは、前記第1のUEによって受信された前記1つもしくは複数のダウンリンクメッセージに、または前記第2のUEによって受信された1つもしくは複数の第2のダウンリンクメッセージに関連付けられた肯定応答または否定応答を含む、請求項7に記載の方法。
【請求項１３】
ワイヤレス通信のための装置であって、
第1のビーム中で、1つまたは複数の第1のダウンリンクメッセージにより、第1のユーザ機器(UE)にスケジューリング情報を送信するための手段と、
第2のビーム中で、1つまたは複数の第2のダウンリンクメッセージにより、第2のUEにスケジューリング情報を送信するための手段と、
前記1つまたは複数の第1のダウンリンクメッセージの前記送信に応答して、タイムスロット中に前記第1のUEから1つまたは複数の第1のアップリンク制御メッセージを受信するための手段と、
前記1つまたは複数の第2のダウンリンクメッセージの前記送信に応答して、前記タイムスロット中に前記第2のUEから1つまたは複数の第2のアップリンク制御メッセージを受信するための手段であって、前記1つまたは複数の第2のアップリンク制御メッセージは、前記1つまたは複数の第1のアップリンク制御メッセージと周波数直交または拡散コード直交である、手段と、
同じタイムスロット中での、周波数直交または拡散コード直交アップリンク制御メッセージの送信のために、UEのグループから前記第1のUEおよび前記第2のUEを選択するための手段とを備える装置。
【請求項１４】
ワイヤレス通信のための装置であって、
第1のビーム中で、基地局から、1つまたは複数のダウンリンクメッセージにより、第1のユーザ機器(UE)においてスケジューリング情報を受信するための手段と、
前記1つまたは複数のダウンリンクメッセージの前記受信に応答して、タイムスロット中に1つまたは複数の第1のアップリンク制御メッセージを基地局に送信するための手段であって、前記1つまたは複数の第1のアップリンク制御メッセージは、前記タイムスロット中に第2のUEから前記基地局に送信される1つまたは複数の第2のアップリンク制御メッセージと周波数直交または拡散コード直交である、手段とを備え、
前記第1のUEおよび前記第2のUEは、同じタイムスロット中での、周波数直交または拡散コード直交メッセージの送信用に、UEのグループから選択される、装置。
【請求項１５】
請求項１乃至６または７乃至１２のうちいずれか一項に記載の方法を実施するための命令を含むコンピュータプログラム。